(57)【要約】【課題】筐体内の省スペース化を図りながら、発熱体に向けて風を送ることができるようにすること。【解決手段】情報記録再生装置１の冷却構造２０は、板金材料から形成された筐体２と、この筐体２を形成する板金材料の一部（左側部３ｃ）を加工することにより形成された通気ガイド２１を備えている。筐体２には、気体流入口９と、気体流出口８が設けられている。通気ガイド２１は、気体流入口９から筐体２内に流入した気体の進む方向を筐体２内に配置されるコイル部品（発熱体）１５に向ける。【選択図】図２
2010123636.tif 000002
【特許請求の範囲】
【請求項１】
板金材料を用いて形成され、気体流入口と、気体流出口とを有する筐体と、
前記筐体を形成する板金材料の一部を加工することにより形成され、前記気体流入口から前記筐体内に流入した気体の進む方向を前記筐体内に配置される発熱体に向ける通気ガイドと、
を備える電子機器の冷却構造。
【請求項２】
前記通気ガイドは、前記気体流入口を囲うように形成され、前記発熱体側に通気口を有する請求項１記載の電子機器の冷却構造。
【請求項３】
前記通気ガイドは、前記筐体を形成する板金材料の一部を折り曲げ加工することにより形成される請求項２記載の電子機器の冷却構造。
【請求項４】
前記通気ガイドは、前記筐体内に配置される部材が取り付けられる取付部を有する請求項３記載の電子機器の冷却構造。
【請求項５】
前記通気ガイドの取付部に取り付けられる部材は、前記発熱体が装着される基板である請求項４記載の電子機器の冷却構造。
【請求項６】
前記筐体に取り付けられ、前記筐体内の気体を前記気体流出口から外に送り出すファンを有する請求項１記載の電子機器の冷却構造。
【発明の詳細な説明】
【技術分野】
【０００１】
本発明は、発熱体を筺体内に収容した電子機器の冷却構造に関し、特に、発熱体を効果的に冷却する電子機器の冷却構造に関する。
【背景技術】
【０００２】
従来から、ＣＰＵ（Central Processing Unit）やハードディスクドライブ（ＨＤＤ）などの発熱体を筺体内に収容した電子機器が提供されている。このような電子機器では、機能向上、処理能力向上に伴って、筺体内に収容された発熱体からの発熱量が増大する傾向にある。発熱体によって筐体内の温度が上昇すると、筐体内に搭載された電子部品の故障や寿命に影響を及ぼすため、発熱体の冷却を効果的に行なうことが電子機器の信頼性の向上にとって重要になる。
【０００３】
ここで、筐体内を冷却する冷却構造について、図５を参照して説明する。
図５は、従来の電子機器の筐体を示す説明図である。
【０００４】
図５に示す電子機器の筐体１０１は、中空の略直方体に形成されている。この筐体１０１の底部１０１ａには、気体流入口１０２が設けられており、底部１０１ａに直行する後部１０１ｂには、気体流出口１０３が設けられている。また、筐体１０１の内部には、発熱体となる電子部品１０５を実装した基板１０４が収納されている。なお、筐体１０１の後部１０１ｂには、筐体１０１内の気体を気体流出口１０３から外に送り出すファン（図示せず）が取り付けられている。
【０００５】
このような構成を有する筐体１０１では、気体流入口１０２から筐体１０１内に入り込んだ気体は、入り込んだときの勢いを残したまま上部１０１ｃに当たるまで進み続ける。このとき、ファンの風力が所定の値よりも強ければ、上部１０１ｃに当たった気体が、気体流出口１０３（ファン）がある方向へ流れる。一方、ファンの風力が所定の値よりも弱ければ、上部１０１ｃに当たった気体が筐体２内で淀んでしまう。
【０００６】
したがって、筐体１０１では、ファンの風力が所定の値より強くても弱くても、電子部品（発熱体）１０５に向けて気体を流すことができなかった。その結果、筐体１０１のような冷却構造では、発熱体を十分に冷却することが難しく、筐体内の温度の上昇を効率よく抑制することができなかった。
【０００７】
そこで、気体流入口から入り込んだ気体が発熱体に向かって流れるように、筐体内にダクトを取り付けることが提案されている。
【０００８】
また、発熱体を十分に冷却する冷却構造としては、例えば、特許文献１に記載されているようなものがある。特許文献１には、ＣＰＵやマイクロプロセッサなどの被冷却物を冷却風で冷却する冷却ファン装置に関するものが記載されている。この特許文献１に記載された冷却ファン装置は、放熱板と、蓋部材と、ファンモータと、隔壁を備えている。
【０００９】
放熱板は、発熱体との当接面を有すると共に、その裏面に外方へ向けた複数の放熱フィンが設けられている。蓋部材は、放熱板の裏面を覆うと共に、放熱板の中央部分に対面する開口部が形成されている。ファンモータは、放熱板の裏面側の中央部分に回転面が対向して配設された複数の羽根体を備え、蓋部材の開口部から空気を取り込んで冷却風を発生させる。隔壁は、ファンモータの複数の羽根体の回転方向外周部に配置され、複数の羽根体を囲っている。
【００１０】
【特許文献１】特開２０００−１２７５１号公報
【発明の開示】
【発明が解決しようとする課題】
【００１１】
しかしながら、筐体内にダクトを取り付ける冷却構造では、筐体内にダクトが取り付けられる取付部を設ける必要があるため、筐体内の省スペース化を妨げ、電子機器の小型化を図ることが難しいという問題があった。
【００１２】
また、特許文献１に記載された冷却ファン装置では、発熱体を放熱板に当接させるために、発熱体を搭載する位置或いは冷却ファン装置を設ける位置を自由に決定することができなかった。そのため、筐体内の省スペース化を妨げ、電子機器の小型化を図ることが難しいという問題があった。
【００１３】
本発明は、このような状況に鑑みてなされたものであり、筐体内の省スペース化を図りながら、発熱体に向けて風を送ることができるようにすることを目的とする。
【課題を解決するための手段】
【００１４】
本発明の電子機器の冷却構造は、板金材料を用いて形成された筐体と、この筐体を形成する板金材料の一部を加工することにより形成された通気ガイドを備えている。筐体には、気体流入口と、気体流出口が設けられている。通気ガイドは、気体流入口から筐体内に流入した気体の進む方向を筐体内に配置される発熱体に向ける。
【００１５】
本発明の電子機器の冷却構造では、筐体を形成する板金材料の一部を加工することによって通気ガイドが形成される。そのため、ダクトなどの別部品を筐体に取り付けて、気体流入口から筐体内に流入した気体を導く必要がない。また、ダクトなどの別部品が取り付けられる取付部を筐体内に設ける必要もない。
【００１６】
本発明の電子機器の冷却構造では、気体流入口から筐体内に入り込んだ気体は、通気ガイドによって流れる向きを調整され、発熱体に向かって進行する。そして、発熱体に向かって進行する気体は、発熱体によって温められた後、気体流出口から筐体の外に流れ出る。
【発明の効果】
【００１７】
本発明の電子機器の冷却構造によれば、筐体内の省スペース化を図りながら、発熱体に向けて風を送ることができる。
【発明を実施するための最良の形態】
【００１８】
以下、本発明の電子機器の冷却構造を実施するための最良の形態について、図面を参照して説明するが、本発明は以下の形態に限定されるものではない。
【００１９】
［電子機器の構成例］
まず、本発明の冷却構造を適用した電子機器の一実施形態について、図１を参照して説明する。
図１は、本発明の冷却構造を適用した電子機器の一実施形態を示す説明図である。
【００２０】
図１に示す電子機器は、本発明の冷却構造を適用した情報記録再生装置１である。この情報記録再生装置１は、ＣＤ(Compact Disc)やＤＶＤ(Digital Versatile Disc）等のディスク状記録媒体の情報記録面に対して、新たに情報信号を記録（書込み）することができる。また、情報記録再生装置１は、ディスク状記録媒体の情報記録面に予め記録されている情報信号を再生（読出し）することもできる。
【００２１】
情報記録再生装置１は、扁平な直方体状に形成された筐体２を備えている。図示しないが、筐体２の内部には、トレイと、スピンドルモータと、記録及び／又は再生部と、ハードディスクドライブ（ＨＤＤ）などが収納されている。トレイは、トレイ移動機構（図示せず）によって筐体２の幅方向へ移動し、ディスク搭載位置とディスク装着位置で停止するようになっている。
【００２２】
ディスク搭載位置では、トレイが筐体２の外側へ引き出される。この状態において、使用者は、トレイにディスク状記録媒体を載置したり、トレイに載置されているディスク状記録媒体を取り外したりすることができる。一方、ディスク装着位置では、トレイが筐体２の内部に収納される。トレイがディスク装着位置に移動すると、スピンドルモータに設けられたターンテーブルにディスク状記録媒体が装着される。
【００２３】
記録及び／又は再生部は、スピンドルモータの駆動によって回転されたディスク状記録媒体の情報記録面に情報の書き込み及び／又は読み出しを行う。この記録及び／又は再生部は、光ピックアップと、光ピックアップが搭載されるピックアップベースと、ピックアップベースをディスク状記録媒体の半径方向へ案内するガイド軸等を備えている。
【００２４】
ハードディスクドライブは、記憶装置の一具体例を示すものである。したがって、情報記録再生装置１は、ハードディスクドライブに対して、新たに情報を記憶させることができる。また、情報記録再生装置１は、ハードディスクドライブに予め記憶されている情報を再生（読出し）することもできる。
【００２５】
筐体２は、上面が開口されたケース３と、このケース３の上面を塞ぐ蓋部材４（図４を参照）から構成されている。これらケース３及び蓋部材４は、板金材料を加工することによって形成されている。ケース３及び蓋部材４を形成する板金材料としては、例えば、ステンレス、アルミニウム、チタン、チタン合金、各種メッキ処理鋼板などを適用することができる。
【００２６】
ケース３は、前部３ａと、後部３ｂと、左側部３ｃと，右側部３ｄと、底部３ｅを有している。
以下の説明においては、前部３ａと後部３ｂが対向する方向を前後方向とし、左側部３ｃと右側部３ｄが対向する方向を左右方向とする。また、底部３ｅと蓋部材４の後述する上面カバー４ａ（図４ａを参照）が対向する方向を上下方向とする。
【００２７】
ケース３の前部３ａは、筐体２の前面を形成している。この前部３ａには、トレイを筐体２の外側に引き出すためのトレイ用開口部５と、複数の操作ボタン６が設けられている。複数の操作ボタン６としては、電源オン・オフを操作する電源ボタン、トレイの引き出し及び挿入を操作するトレイ操作ボタン、記録開始ボタン、再生ボタンなどを挙げることができる。
【００２８】
ケース３の後部３ｂは、筐体２の背面を形成している。この後部３ｂの左側には、筐体２内の気体（空気）を筐体２の外に流出させるための気体流出口８が設けられている。この気体流出口８は、略四角形の複数の貫通孔８ａをリング状に並べることで形成されている。後部３ｂの内側には、気体流出口８を覆うファン１０が取り付けられている。このファン１０は、筐体２内の気体を気体流出口８から外に送り出す。
【００２９】
ケース３の底部３ｅには、筐体２内に気体（空気）を流入させるための気体流入口９（図３を参照）が設けられている。この気体流入口９は、底部３ｅの左側部３ｃに連続する端部に、略四角形の３つの貫通孔９ａを設けることによって形成されている。気体流入口９を形成する３つの貫通孔９ａは、前後方向に適当な間隔をあけて配置されている。
【００３０】
蓋部材４は、ケース３の上面を覆う上面カバー４ａ（図４を参照）と、ケース３の左側部３ｃを覆う左側面カバー４ｂと、ケース３の右側部３ｄを覆う右側面カバー４ｃからなっている。上面カバー４ａは、筐体２の上面を形成している。また、左側面カバー４ｂは、筐体２の左側面を形成し、右側面カバー４ｃは、筐体２の右側面を形成している。蓋部材４は、固定ねじ（図示せず）によってケース３に取り付けられている。
【００３１】
筐体２の内部には、第１の基板１１と、第２の基板１２と、第３の基板１３が設けられている。これら３つの基板１１〜１３は、一方の平面（下面）がケース３の底部３ｅと所定の間隔をあけて対向するように配置されている。
【００３２】
第２の基板１２と第３の基板１３は、前後方向に並べて配置されており、底部３ｅの中央部から右側の全体を覆っている。これら第２の基板１２及び第３の基板１３は、それぞれ略長方形に形成されており、左右方向に延びる２つの長辺と、前後方向に延びる２つの短辺を有している。
【００３３】
第１の基板１１は、底部３ｅの左側を覆う略長方形に形成されており、前後方向に延びる２つの長辺と、左右方向に延びる２つの短辺を有している。この第１の基板１１の上面には、発熱体の一具体例を示すコイル部品１５が実装されている。
【００３４】
コイル部品１５は、第１の基板１１の一方の短辺側に実装されており、ファン１０に対向している。このコイル部品１５は、ハードディスクドライブやスピンドルモータなどの電気部品に電源を供給するための回路に用いられている。したがって、コイル部品１５には、大きな電流が流れる。その結果、コイル部品１５は、他の実装部品よりも高い温度で発熱する。
【００３５】
［冷却構造］
次に、情報記録再生装置１の冷却構造について、図２及び図３を参照して説明する。
図２は、情報記録再生装置１の冷却構造を拡大して示す説明図である。図３は、冷却構造の一部を構成する通気ガイドを示す斜視図である。
【００３６】
情報記録再生装置１の冷却構造２０は、上述した筐体２及びファン１０と、筐体２の内部に設けられた通気ガイド２１とを備えている（図２を参照）。通気ガイド２１は、気体流入口９の上方に設けられており、気体流入口９から筐体２内に入り込んだ気体が流れる方向をコイル部品１５に向ける。したがって、通気ガイド２１は、気体流入口９から筐体２内に入り込んだ気体を通すダクトとして機能している。
【００３７】
通気ガイド２１は、筐体２を形成する板金材料の一部を加工することにより、気体流入口９を囲うように形成されている。つまり、通気ガイド２１は、ケース３の左側部３ｃに切込みを設け、折り曲げ加工することにより形成されている。
【００３８】
図３に示すように、通気ガイド２１は、上板部２２と、第１の側板部２３と、第２の側板部２４と、第３の側板部２５と、取付部２６からなっている。
【００３９】
上板部２２は、左側部３ｃに連続しており、その左側部３ｃに対して略９０度折り曲げられている。この上板部２２は、長方形に形成されており、前後方向に延びる２つの長辺と、左右方向に延びる２つの短辺を有している。上板部２２の平面は、ケース３の底部３ｅに設けた気体流入口９に対向している。
【００４０】
第１の側板部２３は、上板部２２の一方の長辺に連続して設けられており、その上板部２２に対して略９０度折り曲げられて下方に延びている。この第１の側板部２３の平面は、左右方向に直交している。第１の側板部２３には、通気ガイド２１に流入した気体を通す通気口２３ａが設けられている。この通気口２３ａは、長方形に形成されており、コイル部品１５に対向している。したがって、通気ガイド２１内に入って通気口２３ａを通過した気体は、コイル部品１５に向かって流れる。
【００４１】
第２の側板部２４は、上板部２２の一方の短辺に連続しており、上板部２２に対して略９０度折り曲げられて下方に延びている。また、第３の側板部２５は、上板部２２の他方の短辺に連続しており、上板部２２に対して略９０度折り曲げられて下方に延びている。第２の側板部２４及び第３の側板部２５の平面は、前後方向に対向している。また、第２の側板部２４及び第３の側板部２５は、それぞれの先端がケース３の底部３ｅに接触或いは接近する長さに設定されている。
【００４２】
取付部２６は、第１の側板部２３の先端を形成する一辺に連続している。この取付部２６は、第１の側板部２３に対して略９０度折り曲げられることで形成されており、左側部３ｃの反対側に延びている。取付部２６の平面は、上下方向に略直交している。つまり、取付部２６の平面は、上板部２２の平面と略平行になっている。
【００４３】
取付部２６の一方の平面（上面）には、上述した第１の基板１１が固定ねじ１６（図２を参照）によって固定されている。そのため、取付部２６には、固定ねじ１６が螺合されるねじ孔２６ａが形成されている。なお、第１の基板１１は、通気ガイド２１の取付部２６と、ケース３の底部３ｅに設けられた複数の取付け用ボス１９に固定ねじ１６を用いて固定されている。
【００４４】
第１の基板１１には、通気補助部材１７が取り付けられている。この通気補助部材１７は、通気ガイド２１の通気口２３ａとコイル部品１５との間に配置されている。通気補助部材１７は、左右方向から見た形状がＬ字状に形成されており、第１の基板１１に固定される固定片１７ａと、この固定片１７ａに対して略垂直に立ち上がる遮蔽片１７ｂを有している。
【００４５】
通気補助部材１７の固定片１７ａは、長方形の板体からなり、固定ねじなどの固定方法によって第１の基板１１に固定されている。遮蔽片１７ｂは、固定片１７ａと同様に、長方形の板体からなっている。この遮蔽片１７ｂの一方の平面は、ファン１０に対向している。そのため、遮蔽片１７ｂは、通気ガイド２１の通気口２３ａを通過してコイル部品１５に向かう気体がファン１０に引き込まれることを防止或いは抑制する。
【００４６】
例えば、コイル部品１５を通気ガイド２１の通気口２３ａに近接した位置に実装すれば、通気補助部材１７は、不要になる。また、通気口２３ａからコイル部品１５に向かう気体を引き込まない位置にファン１０を配置すれば、通気補助部材１７は、不要になる。したがって、コイル部品１５を通気ガイド２１の通気口２３ａに近接した位置に実装することが好ましい。
【００４７】
本実施の形態では、第１の基板１１に実装するその他の部品の配置を考慮すると、通気口２３ａに近接した位置にコイル部品１５を実装することができなかった。そのため、通気口２３ａからコイル部品１５に向かう気体がファン１０に引き込まれないように、通気補助部材１７を設ける構成とした。
【００４８】
このように、本実施の形態の冷却構造２０では、筐体２を形成する左側部３ｃの一部を折り曲げ加工することによって通気ガイド２１を形成する。そのため、筐体２とは別にダクト部材を用意しなくても、気体流入口９から筐体２内に入り込んだ気体をコイル部品１５に向かって流すことができる。したがって、情報記録再生装置１を構成する部品の部品点数を削減することができ、コストダウンを図ることができる。
【００４９】
また、本実施の形態の冷却構造２０によれば、筐体２とは別にダクト部材を用意する必要がないため、筐体２の内部にダクト部材を取り付けるための取付部を設ける必要がない。したがって、筐体２内部にダクト部材用の取付部を配置するためのスペースを確保する必要がない。その結果、筐体２内の省スペース化を図ることができ、情報記録再生装置１の小型化に貢献することができる。
【００５０】
さらに、本実施の形態の冷却構造２０によれば、折り曲げ加工のみで通気ガイド２１を形成する。そのため、板金材料からケース３を形成するときに用いる金型の構造が複雑にならない。しかも、通気ガイド２１を略筐状に形成するため、通気ガイド２１が筐体２の補強部材となり、筐体２の強度を高めることができる。
【００５１】
また、本実施の形態の冷却構造２０によれば、通気ガイド２１の取付部２６に第１の基板１１を取り付けるようにした。つまり、通気ガイド２１は、気体流入口９から筐体２内に入り込んだ気体をコイル部品１５に向かって流す機能の他に、第１の基板１１を支持する機能を兼ねている。そのため、通気ガイド２１とは別に第１の基板１１を取り付ける取付部を設ける場合よりも、筐体２内の省スペース化を図ることができる。
【００５２】
［筐体内を通過する気体の流れ］
次に、筐体２内を通過する気体の流れについて、図４を参照して説明する。
図４は、筐体２の気体流入口９から流入して気体流出口８から流出する気体の流れを示す説明図である。
【００５３】
筐体２の外にある気体（空気）は、気体流入口９から筐体２内に流入する。気体流入口９から筐体２内に流入した気体は、通気ガイド２１内に入る。通気ガイド２１には、気体流入口９に対向する上板部２２を有している。そのため、気体流入口９から通気ガイド２１内に入った気体は、そのまま上下方向に真っ直ぐ流れて通気ガイド２１の外へ流出することはない。
【００５４】
通気ガイド２１内に入った気体は、進行が妨げられない通気口２３ａから流出し、コイル部品１５に向かって進む。つまり、通気ガイド２１は、気体流入口９から流入した気体の流れる方向を変更し、気体をコイル部品１５に向けて送る。これにより、発熱体であるコイル部品１５に対して直接風を当てることができる。
【００５５】
コイル部品１５の周辺の気体は、コイル部品１５の発熱によって温められる。このとき、コイル部品１５は、周辺の気体によって熱を奪われて冷却される。本実施の形態では、通気口２３ａを通過した気体がコイル部品１５に向けて流れるため、温められていない気体をコイル部品１５に向けて常に送ることができる。その結果、コイル部品１５の冷却を効果的に行なうことができる。
【００５６】
コイル部品１５の発熱によって温められた気体は、ファン１０に引き込まれて気体流出口８から筐体２の外へ排気される。これにより、筐体２内に生じる温度の上昇を効率よく抑制することができる。その結果、筐体２内に搭載された電子部品に生じる故障の原因を削減することができ、情報記録再生装置１（電子機器）の信頼性を向上させることができる。
【００５７】
［変形例］
本発明は、前述しかつ図面に示した実施の形態に限定されるものではなく、その要旨を逸脱しない範囲内で種々の変形実施が可能である。例えば、上述した実施形態においては、電子機器の一具体例として情報記録再生装置を例に説明したが、本発明の冷却構造は、撮像装置、パーソナルコンピュータなどの情報処理装置、その他各種の電子機器に幅広く適用できる。
【００５８】
上述した実施の形態では、冷却構造２０がファン１０を備える構成とした。しかしながら本発明に係る冷却構造としては、ファン１０を備えない構成とすることができる。その場合、筐体２内の気体が対流することにより、筐体２内で温められた気体が気体流出口８から外に流出する。
【００５９】
上述した実施の形態では、ケース３の左側部３ｃの一部を折り曲げ加工して通気ガイド２１を形成したが、本発明に係る通気ガイドは、折り曲げ加工して形成することに限定されるものではない。本発明に係る通気ガイドとしては、例えば、絞り加工、鍛造加工、その他の板金材料を加工できる方法を用いて形成することもできる。
【００６０】
上述した実施の形態では、ケース３の左側部３ｃの一部を加工して通気ガイド２１を形成したが、例えば、ケース３の前部３ａや底部３ｅの一部を加工して通気ガイドを構成してもよい。つまり、本発明の通気ガイドとしては、筐体を形成する板金材料の一部であれば、どの部分を加工して形成してもよい。
【００６１】
上述した実施の形態では、通気ガイド２１を１つの板金材料（左側部３ｃ）から一体に形成したが、本発明に係る通気ガイドとしては、一体に形成しなくてもよい。例えば、通気ガイド２１の上板部２２、第１の側板部２３、取付部２６を左側部３ｃの一部を加工して形成し、第２の側板部２４と第３の側板部２５を底部３ｅの一部を加工して形成することもできる。
【００６２】
上述した実施の形態では、通気ガイド２１の通気口２３ａを長方形に形成したが、本発明に係る通気口の形状としては、適宜設定することができる。また、本発明に係る通気口の大きさも適宜設定することができる。例えば、通気口を通気ガイドの一面を開口する大きさに形成してもよい。
【００６３】
なお、通気口の大きさを変更して通気ガイド２１内の静圧を変えることにより、風速を調整することができる。つまり、通気口を小さくすると、通気ガイド２１内の静圧を高めることができ、風速を大きくすることができる。一方、通気口を大きくすると、発熱体へ向かう気体の流れる領域を広げることができる。
【００６４】
上述した実施の形態では、通気ガイド２１に１つの通気口（通気口２３ａ）を設ける構成とした。しかしながら、本発明に係る冷却構造としては、通気ガイドに２つ以上の通気口を設ける構成としてもよい。つまり、冷却の対象としたい発熱体が２つ以上ある場合は、各発熱体に向かって気体が流れるように、通気口の数と、それら通気口を設ける位置を適宜設定することができる。
【００６５】
上述した実施の形態では、筐体２の底面を形成するケース３の底部３ｅに気体流入口９を設け、筐体２の背面を形成するケース３の後部３ｂに気体流出口８を設けた。しかしながら、本発明に係る気体流入口及び気体流出口は、筐体に設ける位置を適宜設定することできる。
【００６６】
上述した実施の形態では、発熱体の一具体例としてコイル部品１５を例に挙げて説明したが、本発明に係る発熱体としては、例えば、ＣＰＵやハードディスクドライブ、電源（バッテリ）、その他の発熱する部品を適用することができる。
【図面の簡単な説明】
【００６７】
【図１】本発明の冷却構造を適用した電子機器の一実施形態を示す説明図である。
【図２】本発明の冷却構造を示す説明図である。
【図３】本発明の冷却構造に係る通気ガイドを示す斜視図である。
【図４】本発明の冷却構造を適用した電子機器の筐体内を通過する気体の流れを示す説明図である。
【図５】従来の電子機器の筐体内を通過する気体の流れを示す説明図である。
【符号の説明】
【００６８】
１…情報記録再生装置（電子機器）、  ２…筐体、  ３…ケース、  ３ａ…前部、  ３ｂ…後部、  ３ｃ…左側部、  ３ｄ…右側部、  ３ｅ…底部、  ４…蓋部材、  ５…トレイ用開口部、  ６…操作ボタン、  ８…気体流出口、  ９…気体流入口、  １０…ファン、  １１…第１の基板、  １２…第２の基板、  １３…第３の基板、  １５…コイル部品（発熱体）、  １７…通気補助部材、  ２０…冷却構造、  ２１…通気ガイド、  ２２…上板部、  ２３…第１の側板部、  ２３ａ…通気口、  ２４…第２の側板部、  ２５…第３の側板部、  ２６…取付部、２６ａ…ねじ孔
【図１】
2010123636.tif 000003
【図２】
2010123636.tif 000004
【図３】
2010123636.tif 000005
【図４】
2010123636.tif 000006
【図５】
2010123636.tif 000007